(57)【要約】【課題】電気堀こたつの異常の発生を確実にユーザーに報知できる電気堀こたつの異常報知システム及び異常報知方法を提供することを目的とする。【解決手段】電気堀こたつの異常報知システムは、堀こたつ用コントローラー１と、親機２と、堀こたつ用リモコン３とを備える。堀こたつ用コントローラー１は、電気堀こたつ１００に異常が発生した場合に、こたつ異常発生信号を親機２と堀こたつ用リモコン３とに送信する。受信した親機２は、音声を発すると共に、点滅する。一方、受信した堀こたつ用リモコン３は、ブザー音を発するとともに、電源切信号を堀こたつ用コントローラー１に送信する。【選択図】図１
2009052846.tif 000002
【特許請求の範囲】
【請求項１】
電気堀こたつに設けられ無線信号を送信可能な堀こたつ用コントローラーと、宅内に設置され前記堀こたつ用コントローラーからの無線信号を受信可能な堀こたつ異常報知機とを備えた電気堀こたつの異常報知システムであって、
前記堀こたつ用コントローラーは、前記電気堀こたつに異常が発生したか否かを判定するこたつ異常判定手段を備え、このこたつ異常判定手段によって前記電気堀こたつに異常が発生したと判定した場合に、こたつ異常発生信号を前記堀こたつ異常報知機に送信し、
前記堀こたつ異常報知機は、受信した前記こたつ異常発生信号に基づいて、前記電気堀こたつに異常が発生したことを堀こたつ異常報知手段によって報知することを特徴とする電気堀こたつの異常報知システム。
【請求項２】
前記堀こたつ異常報知機は、他の機器と通信可能に接続された親機から構成されていることを特徴とする請求項１記載の電気堀こたつの異常報知システム。
【請求項３】
前記こたつ異常判定手段は、電気堀こたつのこたつ内部の温度が予め設定された設定温度よりも高くなったことを過温検知手段によって検知した場合にその検知に基づいて、あるいは、予め設定された設定電流よりも過電流が電気堀こたつに流れたことを過電流検知手段によって検知した場合にその検知に基づいて、電気堀こたつに異常が発生したと前記堀こたつ用コントローラーが判定するものであることを特徴とする請求項１又は２記載の電気堀こたつの異常報知システム。
【請求項４】
前記電気堀こたつには、前記堀こたつ用コントローラーと相互に無線信号を送受信し前記電気堀こたつの電源の入切やこたつ内部の温度調整等を行い得る堀こたつ用リモコンが設けられ、
前記堀こたつ用コントローラーは、前記こたつ異常発生信号を堀こたつ用リモコンに更に送信し、
前記堀こたつ用リモコンは、受信した前記こたつ異常発生信号に基づいて、前記電気堀こたつに異常が発生したことをリモコン用堀こたつ異常報知手段によって報知することを特徴とする請求項１〜３のいずれか一項に記載の電気堀こたつの異常報知システム。
【請求項５】
前記堀こたつ異常報知手段及びリモコン用堀こたつ異常報知手段は、前記堀こたつ用コントローラーからの前記無線信号を受信した場合に、ブザー音、音声、及び光の内の少なくとも１つを発するものであることを特徴とする請求項４に記載の電気堀こたつの異常報知システム。
【請求項６】
前記堀こたつ用リモコンは、受信した前記こたつ異常発生信号に基づいて、前記堀こたつ用コントローラーに、電気堀こたつの電源を切る旨の電源切信号を送信し、
前記堀こたつ用コントローラーは、受信した前記電源切信号に基づいて、電源切手段によって電気堀こたつの電源を切ることを特徴とする請求項４又は５記載の電気堀こたつの異常報知システム。
【請求項７】
電気堀こたつに設けられ無線信号を送信可能な堀こたつ用コントローラーと、宅内に設置され前記堀こたつ用コントローラーからの無線信号を受信可能な堀こたつ異常報知機とを用い、
前記堀こたつ用コントローラーに、前記電気堀こたつに異常が発生したか否かをこたつ異常判定手段によって判定させ、前記電気堀こたつに異常が発生したと判定した場合に、こたつ異常発生信号を前記堀こたつ異常報知機に送信させ、
前記堀こたつ異常報知機に、前記堀こたつ用コントローラーから受信したこたつ異常発生信号に基づいて、前記電気堀こたつに異常が発生したことを堀こたつ異常報知手段によって報知させるようにしたことを特徴とする電気堀こたつの異常報知方法。
【発明の詳細な説明】
【技術分野】
【０００１】
本発明は、電気堀こたつに異常が発生した場合に、その異常の発生を堀こたつ異常報知機で報知するようにした電気堀こたつの異常報知システム及び異常報知方法に関するものである。
【背景技術】
【０００２】
従来から、ヒーターを有する電気堀こたつは広く知られている。又、例えば、このような電気堀こたつに付設される堀こたつ用の制御盤の構造が提案されている。この堀こたつ用の制御盤の構造は、床面ヒーターと天面ヒーターとを温度制御する制御盤を、堀こたつ本体の床面から立ち上がる側面の上端部の近傍を貫通するようにして、床面の下部に設けたものである。このようにして、制御盤の内部の温度が上がらないようにし、電子部品の寿命を向上させる等できるようにしている（特許文献１参照）。
【特許文献１】特開２００５−２０７６２８号公報
【発明の開示】
【発明が解決しようとする課題】
【０００３】
しかしながら、前記特許文献１に記載のものでは、例えば堀こたつの設定温度を誤って高温に設定してしまったり、あるいは、制御盤に不具合が生じ堀こたつの内部（庫内）の温度が設定温度以上になったような異常が発生した場合に、ユーザーに報知できない。特に、こたつの内部はこたつ布団に覆われて外部から判り難い。
【０００４】
本発明は、電気堀こたつの異常の発生を確実にユーザーに報知できる電気堀こたつの異常報知システム及び異常報知方法を提供することを目的とする。
【課題を解決するための手段】
【０００５】
前記課題を解決するために、本発明の請求項１は、電気堀こたつに設けられ無線信号を送信可能な堀こたつ用コントローラーと、宅内に設置され前記堀こたつ用コントローラーからの無線信号を受信可能な堀こたつ異常報知機とを備えた電気堀こたつの異常報知システムであって、前記堀こたつ用コントローラーは、前記電気堀こたつに異常が発生したか否かを判定するこたつ異常判定手段を備え、このこたつ異常判定手段によって前記電気堀こたつに異常が発生したと判定した場合に、こたつ異常発生信号を前記堀こたつ異常報知機に送信し、前記堀こたつ異常報知機は、受信した前記こたつ異常発生信号に基づいて、前記電気堀こたつに異常が発生したことを堀こたつ異常報知手段によって報知することを特徴とする電気堀こたつの異常報知システムを提供する。
【０００６】
請求項２のように、前記堀こたつ異常報知機は、他の機器と通信可能に接続された親機から構成されていることが好ましい。
【０００７】
請求項３のように、前記こたつ異常判定手段は、電気堀こたつのこたつ内部の温度が予め設定された設定温度よりも高くなったことを過温検知手段によって検知した場合にその検知に基づいて、あるいは、予め設定された設定電流よりも過電流が電気堀こたつに流れたことを過電流検知手段によって検知した場合にその検知に基づいて、電気堀こたつに異常が発生したと前記堀こたつ用コントローラーが判定するものであることが好ましい。
【０００８】
請求項４のように、前記電気堀こたつには、前記堀こたつ用コントローラーと相互に無線信号を送受信し前記電気堀こたつの電源の入切やこたつ内部の温度調整等を行い得る堀こたつ用リモコンが設けられ、前記堀こたつ用コントローラーは、前記こたつ異常発生信号を堀こたつ用リモコンに更に送信し、前記堀こたつ用リモコンは、受信した前記こたつ異常発生信号に基づいて、前記電気堀こたつに異常が発生したことをリモコン用堀こたつ異常報知手段によって報知することが好ましい。
【０００９】
請求項５のように、前記堀こたつ異常報知手段及びリモコン用堀こたつ異常報知手段は、前記堀こたつ用コントローラーからの前記無線信号を受信した場合に、ブザー音、音声、及び光の内の少なくとも１つを発するものであることが好ましい。
【００１０】
請求項６のように、前記堀こたつ用リモコンは、受信した前記こたつ異常発生信号に基づいて、前記堀こたつ用コントローラーに、電気堀こたつの電源を切る旨の電源切信号を送信し、前記堀こたつ用コントローラーは、受信した前記電源切信号に基づいて、電源切手段によって電気堀こたつの電源を切ることが好ましい。
【００１１】
本発明の請求項７は、電気堀こたつに設けられ無線信号を送信可能な堀こたつ用コントローラーと、宅内に設置され前記堀こたつ用コントローラーからの無線信号を受信可能な堀こたつ異常報知機とを用い、前記堀こたつ用コントローラーに、前記電気堀こたつに異常が発生したか否かをこたつ異常判定手段によって判定させ、前記電気堀こたつに異常が発生したと判定した場合に、こたつ異常発生信号を前記堀こたつ異常報知機に送信させ、前記堀こたつ異常報知機に、前記堀こたつ用コントローラーから受信したこたつ異常発生信号に基づいて、前記電気堀こたつに異常が発生したことを堀こたつ異常報知手段によって報知させるようにしたことを特徴とする電気堀こたつの異常報知方法を提供する。
【発明の効果】
【００１２】
請求項１及び請求項７によれば、堀こたつ用コントローラーは、電気堀こたつに異常が発生したと判定した場合に、こたつ異常発生信号を堀こたつ異常報知機に送信し、堀こたつ異常報知機は、それを受信した場合に、堀こたつ異常報知手段によって、ユーザーに前記異常を知らせるため、電気堀こたつに異常が発生した場合には、ユーザーは確実にそれを知ることができる。
【００１３】
従って、こたつ内部はこたつ布団に覆われているため、電気堀こたつから離れているような場合には、外部から温度状態等を把握し難いが、例えば所定の温度よりも高温になっているような異常が発生した場合には、電気堀こたつから離れていてもユーザーは確実にそれを知ることができ、こたつ内部を確認できる。
【００１４】
請求項２によれば、堀こたつ異常報知機は、他の機器と通信可能に接続された親機から構成されているため、親機に堀こたつ異常報知機能を持たせるようにすれば良く、これにより、親機を、堀こたつ異常報知機として使用でき、低コストなものにできる。
【００１５】
請求項３によれば、こたつ異常判定手段は、電気堀こたつのこたつ内部の温度が予め設定された設定温度よりも高くなったことを過温検知手段によって検知した場合、あるいは、予め設定された設定電流よりも過電流が電気堀こたつへ流れたことを過電流検知手段によって検知した場合に、電気堀こたつに異常が発生したと判定するため、こたつ内部が所定の温度よりも高温になるような場合には、確実に検知できる。
【００１６】
請求項４によれば、堀こたつ用リモコンが、堀こたつ用コントローラーからの無線信号を受信した場合に、堀こたつ異常報知手段に加えて、リモコン用堀こたつ異常報知手段によっても、ユーザーに前記異常を知らせるようにするため、より確実に、ユーザーに知らせることができる。
【００１７】
請求項５によれば、堀こたつ異常報知手段とリモコン用堀こたつ異常報知手段とは、堀こたつ用コントローラーからの無線信号を受信した場合に、ブザー音、音声、及び光の内の少なくとも１つを発生させるため、ユーザーに、電気堀こたつに異常が発生したことを判りやすいものにできる。
【００１８】
請求項６によれば、こたつ異常発生信号を受信した堀こたつ用リモコンは、前記堀こたつ用コントローラーに前記電源切信号を送信し、それを受信した堀こたつ用コントローラーは、その電源切信号の受信に基づいて、電気堀こたつの電源を切るため、例えば電気堀こたつで寝込んでしまって堀こたつ異常報知機による報知がわからないような場合でも、こたつ内部の温度がそれ以上に上がるようなことを確実に防止でき、安全なものにできる。
【発明を実施するための最良の形態】
【００１９】
以下、本発明を実施するための最良の形態について、図面を参照しながら詳細に説明する。
【００２０】
図１は、本発明の一実施の形態の電気堀こたつの異常報知システムの概略図、図２は、本発明の電気堀こたつの異常報知システムに用いられる堀こたつ用コントローラを説明するためのブロック図、図３は、同システムに用いられる親機を説明するためのブロック図、図４は、同システムに用いられる堀こたつ用リモコンのブロック図である。
【００２１】
本発明の電気堀こたつの異常報知システムは、図１に示すように、堀こたつ用コントローラー１と、この堀こたつ用コントローラー１からの無線信号を受信可能な堀こたつ異常報知機としての親機２と、堀こたつ用コントローラー１と相互に無線通信可能な堀こたつ用リモコン３とを備えている。
【００２２】
堀こたつ用コントローラー１は、電気堀こたつ１００に付設されており、こたつ内部１００ａの温度の制御等を行う。この実施形態で用いられる電気堀こたつ１００は、堀こたつ本体１０１と、座卓１０２とを備えている。
【００２３】
堀こたつ本体１０１は、側部１１１と、側部１１１の下部に設けられた床部１１２とから構成されている。又、この床部１１２には、床面ヒーター（図示せず）が設けられており、床面ヒーター用電源電線１１３を介して堀こたつ用コントローラー１と通電可能に接続されている。
【００２４】
座卓１０２は、天部１２１と、天部１２１を下方から支持した脚部１２２とを備えている。尚、図示しないが、天部１２１と脚部１２２とは、こたつ布団で覆われて、天部１２１の上にこたつ布団を介して天板が置かれている。
【００２５】
又、この天部１２１には、天面ヒーター（図示せず）が設けられている。また、この天面ヒーターには、先端に電源プラグ１２４を有する天面ヒーター用電源電線１２３が設けられており、この電源プラグ１２４が、堀こたつ用コントローラー１の前面に設けられた電源コンセント１ｃに差し込められることにより、天面ヒーターと堀こたつ用コントローラー１とが通電可能に接続されるようになっている。
【００２６】
堀こたつ用コントローラー１は、電源電線１ａ（ＡＣ１００Ｖ）に接続されて堀こたつ本体１０１の側部１１１に配置されている。尚、図１中の１ｂは、漏電ブレーカーを示している。
【００２７】
又、この堀こたつ用コントローラー１は、図２に示すように、電源入手段１１と、過温検知手段１２と、過電流検知手段１３と、こたつ異常判定手段１４と、電源切手段１５と、送信手段１６と、受信手段１７とを備えている。
【００２８】
電源入手段１１は、後述の堀こたつ用リモコン３からの電気堀こたつ１００の電源を入れる旨の電源入信号の受信に基づいて、電気堀こたつ１００の電源を入れる。これにより、電源電線１ａと床面ヒーター用電源電線１１３及び天面ヒーター用電源電線１２３とは接続状態になり、床面ヒーター及び天面ヒーターへ給電される。
【００２９】
過温検知手段１２は、堀こたつ用コントローラー１内に設けられたこたつ内温度検出センサー（図示せず）により検出された電気堀こたつ１００のこたつ内部１００ａの温度が、予め設定された温度よりも高くなった場合にそれを検知する。
【００３０】
過電流検知手段１３は、天面ヒーター用電源電線１２３及び床面ヒーター用電源電線１１３に予め設定された電流よりも過電流が流れた場合にそれを検知する。
【００３１】
こたつ異常判定手段１４は、この実施形態では、電気堀こたつ１００のこたつ内部１００ａの温度が設定温度よりも高くなったことを上記過温検知手段１２によって検知した場合にその検知に基づいて、電気堀こたつ１００に異常が発生したと判定する。又、天面ヒーター用電源電線１２３及び床面ヒーター用電源電線１１３に設定電流よりも過電流が流れたことを過電流検知手段１３によって検知した場合にその検知に基づいて、電気堀こたつ１００に異常が発生したと判定する。
【００３２】
電源切手段１５は、後述の堀こたつ用リモコン３からの電気堀こたつ１００の電源を切る旨の電源切信号の受信に基づいて、電気堀こたつ１００の電源を切る。これにより、接続状態の電源電線１ａと床面ヒーター用電源電線１１３及び天面ヒーター用電源電線１２３とは非接続状態になり、床面ヒーター及び天面ヒーターへの給電が停止される。
【００３３】
送信手段１６は、例えば電気堀こたつ１００に異常が発生したとのこたつ異常判定手段１４による判定に基づいて、親機２及び堀こたつ用リモコン３に、電気堀こたつ１００に異常が発生した旨のこたつ異常発生信号を送信する。
【００３４】
受信手段１７は、例えば堀こたつ用リモコン３から、堀こたつ１００の電源を入れる旨の電源入信号、堀こたつ１００の電源を切る旨の電源切信号を受信する。又、堀こたつ用リモコン３から、こたつ内部の設定温度の情報の信号等を受信する。
【００３５】
又、堀こたつ用コントローラー１は、図示しないが、記録装置であるメモリ、制御装置であるＣＰＵ、表示装置である表示部、入力装置であるボタンキー、親機２及び堀こたつ用リモコン３と通信するための通信インターフェース等を備えている。
【００３６】
そして、上記ＣＰＵは、図２の電源入手段１１、過温検知手段１２、過電流検知手段１３、こたつ異常判定手段１４、電源切止手段１５、送信手段１６、受信手段１７として機能する。
【００３７】
次に、親機２について説明する。この実施形態の親機２は、図１に示すように宅内の壁面に設置され、電源電線２ａ（ＡＣ１００Ｖ）に接続されるとともに、電気堀こたつ１００以外の他の機器（図示せず）と通信するための通信電線２ｂと接続されている。
【００３８】
そして、この親機２は、図３に示すようにインターホン装置、火災・煙防止検知機、あるいは防犯検知機等の他の機器と通信可能に接続されてそれらの夫々の機器に応じて機能する他機器機能手段２０と、堀こたつ異常報知手段２１とを備えている。この実施形態における他機器機能手段２０は、インターホン機能手段２０ａ、火災・煙報知手段２０ｂ、防犯報知手段２０ｃ等を備えている。
【００３９】
インターホン機能手段２０ａは、例えば玄関に設けた押圧操作部（図示せず）が押圧されるとチャイム音を発する。火災・煙報知手段２０ｂは、例えば火災や煙が発生した場合にそれを検知した検知装置からの信号に基づいて音声を発する。又、防犯報知手段２０ｃは、例えば窓やドアが勝手に開けられた場合にそれを検知した検知装置からの信号に基づいて音声を発する。
【００４０】
堀こたつ異常報知手段２１は、音声発生手段２２と、点滅手段２３と、コントローラ用受信手段２４とを備えている。コントローラ用受信手段２４は、例えば電気堀こたつ１００に異常が発生した旨のこたつ異常発生信号を堀こたつ用コントローラー１から受信する。
【００４１】
音声発生手段２２は、上記堀こたつ用コントローラー１からのこたつ異常発生信号を受信すると、その受信したこたつ異常発生信号に基づいて、例えば「堀こたつに異常が発生しました」のような音声を発する。
【００４２】
点滅手段２３は、上記堀こたつ用コントローラー１からのこたつ異常発生信号を受信すると、その受信したこたつ異常発生信号に基づいて、光を点滅させる。
【００４３】
又、親機２は、図示しないが、メモリ、ＣＰＵ、表示部、ボタンキー、点滅部、堀こたつ用コントローラー１と通信するための通信インターフェース等を備えている。そして、このＣＰＵは、図３の他機器機能手段２０、堀こたつ異常報知手段２１として機能する。
【００４４】
次に、堀こたつ用リモコン３について説明する。この実施形態の堀こたつ用リモコン３は、図４に示すように、リモコン用堀こたつ異常報知手段としてのブザー音発生手段３２と、コントローラー用受信手段３３と、コントローラー用送信手段３４とを備えている。
【００４５】
コントローラー用受信手段３３は、例えば電気堀こたつ１００に異常が発生した旨の信号を堀こたつ用コントローラー１から受信する。また、この実施形態では、例えば堀こたつ用コントローラー１においてこたつ内温度検出センサーにより検出されたこたつ内部の温度を堀こたつ用コントローラー１から受信するとともに、図示しないが、それを堀こたつ用リモコン３に設けられた表示部に表示するようになっている。
【００４６】
ブザー音発生手段３２は、電気堀こたつ１００に異常が発生した旨のこたつ異常発生信号を堀こたつ用コントローラー１から受信すると、その受信したこたつ異常発生信号に基づいて、ブザー音を発生する。
【００４７】
コントローラー用送信手段３４は、例えば上記こたつ異常発生信号を堀こたつ用コントローラー１から受信すると、その受信したこたつ異常発生信号に基づいて、電気堀こたつ１００の電源を切る旨の電源切信号を堀こたつ用コントローラー１に送信する。
【００４８】
又、コントローラー用送信手段３４は、電気堀こたつ１００の電源の入切についての情報の信号、あるいは、こたつ内部の設定温度についての情報の信号等を、この堀こたつ用リモコン３に設けられた後述のボタンキーのユーザーによる操作によって、堀こたつ用コントローラー１に送信し、これにより、堀こたつ用リモコン３は、堀こたつ用コントローラー１を介してこたつ内部の温度調整や電源の入切を行い得るようになっている。
【００４９】
又、堀こたつ用リモコン３は、図示しないが、上記堀こたつ用コントローラー１と同様に、メモリ、ＣＰＵ、表示部、ボタンキー、堀こたつ用コントローラー１と通信するための通信インターフェース等を備えている。
【００５０】
そして、上記ＣＰＵは、図４のブザー音発生手段３２、コントローラー用受信手段３３、コントローラー用送信手段３４として機能する。
【００５１】
次に、本発明のシステムの動作について説明する。図５は、このシステムにおいて電気堀こたつ１００に異常が発生した場合の処理の流れの一例を示すフローチャートである。
【００５２】
まず、図１に示す電源プラグ１２４を堀こたつ用コントローラー１の電源コンセントに差し込むとともに、例えば堀こたつ用リモコン３を操作して電気堀こたつ１００の電源を入れる。これにより、床面ヒーター及び天面ヒーターへ給電でき、こたつ内部１００ａを温めることができる。
【００５３】
そして、この状態で、堀こたつ用コントローラー１は、こたつ内部１００ａの温度が予め設定された設定温度以上になったか否かを過温検知手段１２によって検知するとともに、天面ヒーター用電源電線１２３及び床面ヒーター用電源電線１１３に予め設定された設定電流量よりも多く流れているか否かを過電流検知手段１３によって検知する（図５、ステップＳ１）。
【００５４】
上記設定温度以上になったことを未だ検知していない場合、および、上記設定電流量よりも多く流れていることを未だ検知していない場合は、堀こたつ用コントローラー１は、上記ステップＳ１に戻って、検知を続ける。
【００５５】
一方、上記設定温度以上になったことを検知した場合、又は、上記設定電流量よりも多く流れていることを検知した場合、堀こたつ用コントローラー１は、電気堀こたつ１００に異常が発生したと判定し、こたつ異常発生信号を、親機２及び堀こたつ用リモコン３に送信する（図５、ステップＳ２）。
【００５６】
受信した親機２は、「堀こたつに異常が発生しました」の音声を発するとともに、光を点滅させる（図５、ステップＳ３）。
【００５７】
又、受信した堀こたつ用リモコン３は、ブザー音を発するとともに、電源切信号を堀こたつ用コントローラー１に送信する（図５、ステップＳ４）。
【００５８】
上記電源切信号を受信した堀こたつ用コントローラー１は、電源切信号に基づいて電気堀こたつ１００の電源を切る（図５、ステップＳ５）。
【００５９】
以上のように構成することにより、電気堀こたつ１００のこたつ内部１００ａの温度が設定温度以上になり、あるいは、天面ヒーター用電源電線１２３及び床面ヒーター用電源電線１１３に設定電流よりも過電流が流れた場合には、親機２で音声を発するとともに、光を点滅させ、しかも、堀こたつ用リモコン３でブザー音を発するため、ユーザに確実に報知できる。
【００６０】
従って、ユーザが電気堀こたつ１００から離れていて電気堀こたつ１００のこたつ内部１００ａの状態が判らない場合でも、上記のような異常の発生を知ることができ、それによって、電気堀こたつ１００の状態をユーザが確認でき、安全なものにできる。
【００６１】
また、堀こたつ用コントローラー１が電源切信号に基づいて電気堀こたつ１００の電源を切るため、例えば電気堀こたつ１００で寝込んでいて親機２及び堀こたつ用リモコン３の報知がわからない場合でも、低温やけど等を防止できる。
【００６２】
また、その際、例えば堀こたつ用リモコン３がこたつ布団で覆われてブザー音が聞こえ難いような場合でも、親機２の音声および光の点滅によって確実にユーザに報知できる。
【００６３】
尚、上記実施形態では、堀こたつ用コントローラー１と無線信号によって通信可能な堀こたつ用リモコン３を設けているが、堀こたつ用リモコン３を設けない形態のものであっても良い。
【００６４】
又、堀こたつ用リモコン３を設けない場合、例えば堀こたつ用コントローラー１と親機２とを相互に無線通信可能なものから構成して、親機２がこたつ異常発生信号を受信すると電源切信号を堀こたつ用コントローラー１に送信するようにしても良い。
【００６５】
又、堀こたつ用リモコン３を設ける場合、堀こたつ用リモコン３は特に限定されず、種々のものを用いることができる。例えば有線によって堀こたつ用コントローラー１と通信可能なもの、電波によって堀こたつ用コントローラー１と双方向通信可能なもの等でも良い。
【００６６】
ただし、本実施形態のように、無線によって通信可能に接続したものにしておくと、有線によるもののように足に絡むようなことがない等の点で、好ましい。また、本実施形態のように、堀こたつ用リモコン３と堀こたつ用コントローラー１とを電波によって双方向に通信可能（互いに送受信可能）なものから構成しておくことにより、上述のように堀こたつ用コントローラー１から異常発生信号を受信した堀こたつ用リモコン３が電源切信号を堀こたつ用コントローラー１に送信できるとともに、例えば堀こたつ用コントローラー１から送信されてくるこたつ内部の温度を堀こたつ用リモコン３の表示部に表示でき、使用便利なものにできるという利点をも有する。
【００６７】
また、上記実施形態では、堀こたつ異常報知機として、他機器機能手段２０を有する親機２を用いているが、電気堀こたつの異常を報知する専用の堀こたつ異常報知機から構成しても良く、適宜変更できる。
【００６８】
又、上記実施形態では、堀こたつ異常報知手段及びリモコン用堀こたつ異常報知手段は、ブザー音、音声、及び光の内の少なくとも１つを発する形態のものであれば良く、適宜変更し得る。
【図面の簡単な説明】
【００６９】
【図１】図１は、本発明の電気堀こたつの異常報知システムの一実施の形態の概略図である。
【図２】本発明の電気堀こたつの異常報知システムに用いられる堀こたつ用コントローラーの構成を説明するためのブロック図である。
【図３】本発明の電気堀こたつの異常報知システムに用いられる親機の構成を説明するためのブロック図である。
【図４】本発明の電気堀こたつの異常報知システムに用いられる堀こたつ用リモコンの構成を説明するためのブロック図である。
【図５】電気堀こたつの異常報知システムにおいて電気堀こたつに異常が発生した場合の処理の流れの一例を示すフローチャートである。
【符号の説明】
【００７０】
１    堀こたつ用コントローラー
２    親機（堀こたつ異常報知機）
３    堀こたつ用リモコン
１００    電気堀こたつ
【図１】
2009052846.tif 000003
【図２】
2009052846.tif 000004
【図３】
2009052846.tif 000005
【図４】
2009052846.tif 000006
【図５】
2009052846.tif 000007